【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
位相ロックループであって、
入力信号および第１の分周された信号を受け取り第１の比較信号を出力する第１の位相検出器と、
前記入力信号および第２の分周された信号を受け取り第２の比較信号を出力する第２の位相検出器と、
前記第１および第２の比較信号を受け取り、前記比較信号に応答する出力信号を発生する回路と、
前記回路から前記出力信号を受け取り、所定の周波数信号を発生する電圧制御発振器と、
前記所定の周波数信号を受け取り、所定の位相関係を持つ前記第１および第２の分周された信号を発生するプログラマブルモジュラス分周器とを備えることを特徴とする位相ロックループ。
【請求項２】
さらに制御線によって操作される複数の並列スイッチを備え、前記スイッチのそれぞれが、前記各スイッチの位置に応じて、複数のチャージポンプの対応する１つを前記第１および第２の比較信号のうちの選択された信号に結合することを特徴とする請求項１に記載の位相ロックループ。
【請求項３】
前記チャージポンプのそれぞれは、所定の量の電流を前記回路に対してソースすること、およびシンクすることのうちの一方を実行することを特徴とする請求項２に記載の位相ロックループ。
【請求項４】
前記第１の位相検出器は、
第１の出力ポートおよび第２の出力ポートを備える位相検出器部分と、
複数のチャージポンプ段を備えるチャージポンプ部分とを備えることを特徴とする請求項１に記載の位相ロックループ。
【請求項５】
前記チャージポンプ段のそれぞれは、
第１の電流源および第１の所定の電圧とチャージポンプ出力端子との間に直列に結合されている第１のスイッチと、
第２の電流源および第２の所定の電圧と前記チャージポンプ出力端子との間に直列に結合されている第２のスイッチと、
前記第１の入力が前記位相検出器部分の前記第１の出力ポートに結合され、第２の入力が制御信号を受け取り、出力ポートが前記第１のスイッチに結合されている第１のロジックゲートと、
第１の入力が前記位相検出器部分の前記第２の出力ポートに結合され、第２の入力が制御信号を受け取り、出力ポートが前記第２のスイッチに結合されている第２のロジックゲートとを備えることを特徴とする請求項４に記載の位相ロックループ。
【請求項６】
前記第１および第２のロジックゲートはＡＮＤゲートであり、前記第１および第２のＡＮＤゲートの出力で前記第１および第２のスイッチのうちの一方を選択して前記チャージポンプ出力端子を前記第１および第２の電流源のうちの一方に結合することを特徴とする請求項５に記載の位相ロックループ。
【請求項７】
さらに前記第１および第２の位相検出器の各々からの第１および第２の前記比較信号出力のうちの１つを遅延させるように結合されている信号遅延デバイスを備えることを特徴とする請求項１に記載の位相ロックループ。
【請求項８】
さらに前記第１および第２の位相検出器のうちの一方に結合されている信号遅延デバイスを備えることを特徴とする請求項１に記載の位相ロックループ。
【請求項９】
前記信号遅延デバイスはデジタル遅延制御回路およびアナログ遅延制御回路のうちの１つであることを特徴とする請求項８に記載の位相ロックループ。
【請求項１０】
前記第１および第２の分周された信号は同じ周波数を持つことを特徴とする請求項１に記載の位相ロックループ。
【請求項１１】
前記プログラマブルモジュラス分周器は、
第１のロジックゲートと、
制御信号を受け取る第２のロジックゲートと、
第１のロジックゲートの出力信号と前記電圧制御発振器の前記出力ポートからのクロック信号を受け取るように結合されている第１のフリップフロップと、
第１のフリップフロップの出力信号を受け取るように結合されている第２のフリップフロップゲートであって、前記第１および第２のロジックゲートが前記第２のフリップフロップの出力信号を受け取ることを特徴とする第２のフリップフロップゲートと、
前記第２のロジックゲートから出力信号を受け取るように結合されている第３のフリップフロップであって、前記第１、第２、および第３のフリップフロップがクロック信号として所定の周波数信号を受け取り、前記第３のフリップフロップの出力信号が前記第１のロジックゲートに入り、前記第１および第２のフリップフロップの前記出力信号が分周された信号であることを特徴とする第３のフリップフロップとを備える請求項１に記載の位相ロックループ。
【請求項１２】
前記第１および第２の分周された信号は前記クロック信号の一周期分だけ位相が異なることを特徴とする請求項１１に記載の位相ロックループ。
【請求項１３】
さらに前記回路の基準電圧を調整するように結合されている検出回路を備えることを特徴とする請求項１に記載の位相ロックループ。
【請求項１４】
前記回路はサンプル＆ホールド回路であって、
第１のスイッチおよび第１の所定の基準電圧と第２の所定の基準電圧の間の第１のノードのところで直列に結合されている第１のキャパシタであって、前記第１のノードは前記第１および第２の比較信号を受け取るように結合されていることを特徴とする第１のスイッチおよび第１のキャパシタと、
前記第２の基準電圧と第２のノードの間に結合される第２のキャパシタと、
前記第１のノードと前記第２のノードの間に結合されている第２のスイッチとを備えることを特徴とする請求項１に記載の位相ロックループ。
【請求項１５】
さらに前記第１の所定の基準電圧を設定する検出回路を備えることを特徴とする請求項１４に記載の位相ロックループ。
【請求項１６】
前記検出回路は、
前記第１および第２の位相検出器から前記比較信号を受け取るロック検出器と、
前記ロック検出器からの制御信号に応答する前記第１の所定の基準電圧の電圧レベルを調整するデジタル−アナログコンバータとを備えることを特徴とする請求項１５に記載の位相ロックループ。
【請求項１７】
前記検出回路は、
前記サンプル＆ホールド回路の前記出力を受け取るアナログ−デジタルコンバータと、
前記アナログ−デジタルコンバータからの制御信号に応答する前記第１の所定の基準電圧の電圧レベルを調整するデジタル−アナログコンバータとを備えることを特徴とする請求項１５に記載の位相ロックループ。
【請求項１８】
前記検出回路は、
前記サンプル＆ホールド回路から前記出力信号を受け取るロック検出器と、
前記ロック検出器からの制御信号に応答する前記第１の所定の基準電圧の電圧レベルを調整するデジタル−アナログコンバータとを備えることを特徴とする請求項１５に記載の位相ロックループ。
【請求項１９】
前記第１および第２の分周された信号は同じ周波数を持ち、前記第１および第２の分周された信号は前記クロック信号の１周期分だけ位相が異なり、前記第１の位相検出器および第２の位相検出器は同じ設計のものであることを特徴とする請求項１に記載の位相ロックループ。
【請求項２０】
携帯端末用のフラクショナルＮ周波数シンセサイザであって、
位相検出器回路であって、
基準信号を受け取るように結合されている第１の入力ポート、第２の入力ポート、第３の入力ポート、および出力ポートを備える第１の位相検出器と、
前記基準信号を受け取るように結合されている第１の入力ポート、第２の入力ポート、第３の入力ポート、および出力ポートを備える第２の位相検出器と、
前記第１および第２の位相検出器の前記出力ポートに結合されている第１の入力ポート、および出力ポートを備える回路と、
前記回路の前記出力ポートに結合されている入力ポートを備え、所定の周波数信号を出力ポートから送信する電圧制御発振器と、
前記第１の位相検出器の前記第２の入力ポートに結合して第１の分周された信号を送信する第１の出力ポート、前記第２の位相検出器の前記第２の入力ポートに結合して第２の分周された信号を送信する第２の出力ポート、前記電圧制御発振器の前記出力ポートに結合されている第１の入力ポート、および第２の入力ポートを備えるプログラマブルモジュラス分周器と、
第１の出力ポートが前記プログラマブルモジュラス分周器の前記第２の入力ポートに結合され、第２の出力ポートが前記位相検出器の前記第３の入力ポートに結合されているアキュムレータとを備えることを特徴とするフラクショナルＮ周波数シンセサイザ。
【請求項２１】
前記移動端末は携帯電話、パーソナルデジタルアシスタント、デジタルオーディオプレーヤー、インターネットアプライアンス、遠隔制御デバイス、およびラップトップコンピュータのうちの１つであることを特徴とする請求項２０に記載のフラクショナルＮ周波数シンセサイザ。
【請求項２２】
さらに制御線によって操作される複数のスイッチを備え、前記スイッチのそれぞれが、複数のチャージポンプのうちの対応する１つを、前記アキュムレータからの制御信号に応じて、前記第１の位相検出器および前記第２の位相検出器のうちの選択された位相検出器の出力ポートに結合することを特徴とする請求項２０に記載のフラクショナルＮ周波数シンセサイザ。
【請求項２３】
前記第１の位相検出器および第２の位相検出器は同じ設計であることを特徴とする請求項２０に記載のフラクショナルＮ周波数シンセサイザ。
【請求項２４】
前記第１の位相検出器は、
第１の出力ポートおよび第２の出力ポートを備える位相検出器部分と、
複数のチャージポンプ段を備えるチャージポンプ部分とを備えることを特徴とする請求項２０に記載のフラクショナルＮ周波数シンセサイザ。
【請求項２５】
前記チャージポンプ段のそれぞれは、
第１の電流源および第１の所定の電圧とチャージポンプ出力端子との間に直列に結合されている第１のスイッチと、
第２の電流源および第２の所定の電圧と前記チャージポンプ出力端子との間に直列に結合されている第２のスイッチと、
前記第１の入力ポートが前記位相検出器部分の前記第１の出力ポートに結合され、第２の入力が制御信号を受け取り、出力ポートが前記第１のスイッチに結合されている第１のロジックゲートと、
第１の入力が前記位相検出器部分の前記第２の出力ポートに結合され、第２の入力が制御信号を受け取り、出力ポートが前記第２のスイッチに結合されている第２のロジックゲートとを備えることを特徴とする請求項２４に記載のフラクショナルＮ周波数シンセサイザ。
【請求項２６】
さらに前記第１および第２の位相検出器のうちの一方からの出力を遅延する信号遅延デバイスを備えることを特徴とする請求項２０に記載のフラクショナルＮ周波数シンセサイザ。
【請求項２７】
さらに前記第１および第２の位相検出器のうちの一方に結合されている信号遅延デバイスを備えることを特徴とする請求項２０に記載のフラクショナルＮ周波数シンセサイザ。
【請求項２８】
前記プログラマブルモジュラス分周器は、
第１のロジックゲートと、
制御信号を受け取る第２のロジックゲートと、
第１のロジックゲートの出力信号と前記電圧制御発振器の前記出力ポートからのクロック信号を受け取るように結合されている第１のフリップフロップと、
第１のフリップフロップの出力信号を受け取るように結合されている第２のフリップフロップゲートであって、前記第１および第２のロジックゲートが前記第２のフリップフロップの出力信号を受け取る第２のフリップフロップゲートと、
前記第２のロジックゲートから出力信号を受け取るように結合されている第３のフリップフロップであって、前記第１、第２、および第３のフリップフロップがクロック信号として所定の周波数信号を受け取り、前記第３のフリップフロップの出力信号が前記第１のロジックゲートに入り、前記第１および第２のフリップフロップの前記出力信号が分周された信号であることを特徴とする第３のフリップフロップとを備える請求項２０に記載のフラクショナルＮ周波数シンセサイザ。
【請求項２９】
前記第１および第２の分周された信号は同じ周波数を持ち、前記第１および第２の分周された信号は前記電圧制御発振器の前記出力ポートからの前記所定の周波数信号の前記周期分だけ位相が異なることを特徴とする請求項２０に記載のフラクショナルＮ周波数シンセサイザ。
【請求項３０】
前記回路はサンプル＆ホールド回路であって、
第１のスイッチおよび第１の所定の基準電圧と第２の所定の基準電圧の間の第１のノードのところで直列に結合されている第１のキャパシタであって、前記第１のノードは前記位相検出器の前記出力から第１および第２の比較信号を受け取るように結合されていることを特徴とする第１のスイッチおよび第１のキャパシタと、
前記第２の基準電圧と第２のノードの間に結合される第２のキャパシタと、
前記第１のノードと前記第２のノードの間に結合されている第２のスイッチとを備えることを特徴とする請求項２０に記載の位相ロックループ。
【請求項３１】
さらに前記第１の所定の基準電圧を設定する検出回路を備えることを特徴とする請求項３０に記載の位相ロックループ。
【請求項３２】
前記検出回路は、
前記第１および第２の位相検出器から前記比較信号を受け取るロック検出器と、
前記ロック検出器からの制御信号に応答する前記第１の所定の基準電圧の電圧レベルを調整するデジタル−アナログコンバータとを備えることを特徴とする請求項３１に記載の位相ロックループ。
【請求項３３】
前記検出回路は、
前記サンプル＆ホールド回路の出力信号を入力するアナログ−デジタルコンバータと、
前記アナログ−デジタルコンバータからの制御信号に応答する前記第１の所定の基準電圧の電圧レベルを調整するデジタル−アナログコンバータとを備えることを特徴とする請求項３１に記載の位相ロックループ。
【請求項３４】
（ａ）第１の値によって発振器から周波数信号出力を分周して第１の分周信号を生成し、
（ｂ）第２の値によって発振器から周波数信号出力を分周して第２の分周信号を生成し、
（ｃ）前記第１の分周信号を基準信号と比較して第１の制御信号を発生し、
（ｄ）前記第２の分周信号を基準信号と比較して第２の制御信号を発生し、
（ｅ）前記第１および第２の制御信号に基づいて前記発振器を調整する
各ステップを含むことを特徴とする周波数信号を発生する方法。
【請求項３５】
発振器と、
前記発振器から周波数信号出力を分周して、第１の値によって第１の分周信号を生成し、第２の値によって第２の分周信号を生成する分周器と、
前記第１の分周信号を基準信号と比較して第１の制御信号を発生し前記発振器を調整する第１の位相検出器と、
前記第２の分周信号を基準信号と比較して第２の制御信号を発生し前記発振器を調整する第２の位相検出器とを備えることを特徴とする位相ロックループ。
【請求項３６】
第１の値によって発振器から周波数信号出力を分周して第１の分周信号を生成し、
第２の値によって発振器から周波数信号出力を分周して第２の分周信号を生成し、
前記第１の分周信号を基準信号と比較して第１の制御信号を発生し、
前記第２の分周信号を基準信号と比較して第２の制御信号を発生し、
サンプル＆ホールド回路を通して、前記サンプル＆ホールド回路の電荷を増加する前記第１の制御信号および前記サンプル＆ホールド回路の電荷を減少する前記前記第２の制御信号を供給し、
前記サンプル＆ホールド回路の出力に基づいて前記発振器を調整する
各ステップを含むことを特徴とする周波数信号を発生する方法。
【請求項３７】
発振器と、
前記発振器から周波数信号出力を分周して、第１の値によって第１の分周信号を生成し、第２の値によって第２の分周信号を生成する分周器と、
前記第１の分周信号を基準信号と比較して第１の比較信号を発生する第１の位相検出器と、
前記第２の分周信号を基準信号と比較して第２の比較信号を発生する第２の位相検出器と、
制御信号を発生し、前記第１および第２の比較信号に基づいて前記発振器を調整するサンプル＆ホールドユニットとを備えることを特徴とする位相ロックループ。